(57)【要約】【課題】薬剤保持体が保持している薬剤が太陽光で早期に劣化することがないと共に、その薬剤保持体を装置本体に簡単に取付けできる送風式薬剤放散装置とする。【解決手段】表面１ａが閉塞された装置本体１の側面１ｂに放出口４と吸込口５を形成して薬剤保持体２０に太陽光が照射され難く、その装置本体１に送風機収納室２と収納凹部３を形成し、その収納凹部３は送風機収納室２に連通すると共に、裏面１ｃに開口し、この収納凹部３に収納体１０を着脱自在に嵌合して取付け、その収納凹部３に薬剤保持体２０を着脱自在に取付けることで、その収納体１０に薬剤保持体２０を取付け、その状態で収納体１０を収納凹部３に取付けることによって、薬剤保持体２０を装置本体１に簡単に取付けできる。【選択図】図４
2011254842.tif 000002
【特許請求の範囲】
【請求項１】
表面１ａと側面１ｂと裏面１ｃで囲まれた箱形状で、内部には、送風機収納室２と、この送風機収納室２と連続し裏面１ｃに開口した収納凹部３をそれぞれ有し、その表面１ａは閉塞され、側面１ｂには、送風機収納室２に連通した放出口４と前記収納凹部３に連通した吸込口５をそれぞれ有した装置本体１と、
この装置本体１の送風機収納室２に設けた送風機６と、
前記収納凹部３に着脱自在に取付けられる収納体１０と、
この収納体１０に着脱自在に取付けられる薬剤保持体２０を備え、
前記送風機６を駆動することで吸込口５、薬剤保持体２０を通して空気が吸い込まれ、放出口４から放出されるようにしたことを特徴とする送風式薬剤放散装置。
【請求項２】
装置本体１は電池収納室７を有し、
この電池収納室７の蓋１３が収納体１０と一体で、その蓋１３と収納体１０が同時に取付け、取り外しされるようにした請求項１記載の送風式薬剤放散装置。
【請求項３】
蓋１３に縦面取付部９を設け、その縦面取付部９を縦面Ａに取付けた状態で、装置本体１のみを着脱可能とした請求項２記載の送風式薬剤放散装置。
【請求項４】
装置本体１に縦面取付部９を設け、この装置本体１の収納凹部３を、側面１ｂの下部分と裏面１ｃに開口して当該装置本体１を縦面Ａに取付けた状態で、収納体１０を上下方向にスライドして前記収納凹部３と縦面Ａとの間から、その収納凹部３内に取付け、取り外しできるようにした請求項１記載の送風式薬剤放散装置。
【請求項５】
装置本体１に着用バンド３０を取付けた請求項１記載の送風式薬剤放散装置。
【請求項６】
装置本体１の収納凹部３を、側面１ｂの一部分と裏面１ｃに開口し、収納体１０を左右一方からスライドして装置本体１の収納凹部３内に挿入して取付けできるようにした請求項１記載の送風式薬剤放散装置。
【発明の詳細な説明】
【技術分野】
【０００１】
本発明は、殺虫剤、忌避剤、芳香剤、消臭剤、除菌剤などの揮散性の薬剤を大気に放散する送風式薬剤放散装置に関する。
【背景技術】
【０００２】
特許文献１に送風式薬剤放散装置が開示されている。
この装置は、本体内に、送風機と薬剤保持体と電池を設けて送風機を駆動することで吸込口から放出口に空気が流通し、その放出口から放出される空気とともに薬剤保持体の薬剤が大気に放散される装置である。
【０００３】
特許文献２には、本体内に送風機、薬剤保持体、電池を設け、送風機を駆動することで本体の裏面に形成した吸込口から空気を吸い込み、薬剤保持体を通して本体の側面に形成した放出口から大気に放出するようにした送風式薬剤放散装置が開示されている。
【先行技術文献】
【特許文献】
【０００４】
【特許文献１】特開２００１−１９７８５６号公報
【特許文献２】特開２００２−２２６３０５号公報
【発明の概要】
【発明が解決しようとする課題】
【０００５】
前述の特許文献１に開示された装置は、その本体の表面に吸込口が形成されていると共に、その吸込口と連続して薬剤保持体が設けてあるので、太陽光（日射）が吸込口を通して前記薬剤保持体に直接照射される度合が多く、その薬剤保持体が保持している薬剤が早期に劣化することがある。
【０００６】
このことを解消するには、特許文献２に開示された装置のように、本体の裏面に吸込口を形成し、表面を閉塞された形状とすることが考えられる。
しかし、このようにした場合には薬剤保持体の取付けが面倒である。
例えば、特許文献２に開示された装置では、本体の下部開口に薬剤保持体を挿入し、その薬剤保持体が落ちないように保持しながらカバーを取付けて薬剤保持体を本体に取付けるので、その薬剤保持体を本体に取付ける作業が面倒である。
【０００７】
本発明の目的は、薬剤保持体が保持している薬剤が太陽光で早期に劣化することがないと共に、その薬剤保持体を本体に簡単に取付けできるようにした送風式薬剤放散装置を提供することである。
【課題を解決するための手段】
【０００８】
第１の発明は、表面１ａと側面１ｂと裏面１ｃで囲まれた箱形状で、内部には、送風機収納室２と、この送風機収納室２と連続し裏面１ｃに開口した収納凹部３をそれぞれ有し、その表面１ａは閉塞され、側面１ｂには、送風機収納室２に連通した放出口４と前記収納凹部３に連通した吸込口５をそれぞれ有した装置本体１と、
この装置本体１の送風機収納室２に設けた送風機６と、
前記収納凹部３に着脱自在に取付けられる収納体１０と、
この収納体１０に着脱自在に取付けられる薬剤保持体２０を備え、
前記送風機６を駆動することで吸込口５、薬剤保持体２０を通して空気が吸い込まれ、放出口４から放出されるようにしたことを特徴とする送風式薬剤放散装置である。
【０００９】
第２の発明は、第１の発明において、装置本体１は電池収納室７を有し、
この電池収納室７の蓋１３が収納体１０と一体で、その蓋１３と収納体１０が同時に取付け、取り外しされるようにした送風式薬剤放散装置である。
【００１０】
第３の発明は、第２の発明において、蓋１３に縦面取付部９を設け、その縦面取付部９を縦面Ａに取付けた状態で、装置本体１のみを着脱可能とした送風式薬剤放散装置である。
【００１１】
第４の発明は、第１の発明において、装置本体１に縦面取付部９を設け、この装置本体１の収納凹部３を、側面１ｂの下部分と裏面１ｃに開口して当該装置本体１を縦面Ａに取付けた状態で、収納体１０を上下方向にスライドして前記収納凹部３と縦面Ａとの間から、その収納凹部３内に取付け、取り外しできるようにした送風式薬剤放散装置である。
【００１２】
第５の発明は、第１の発明において、装置本体１に着用バンド３０を取付けた送風式薬剤放散装置である。
【００１３】
第６の発明は、第１の発明において、装置本体１の収納凹部３を、側面１ｂの一部分と裏面１ｃに開口し、収納体１０を左右一方からスライドして装置本体１の収納凹部３内に挿入して取付けできるようにした送風式薬剤放散装置である。
【発明の効果】
【００１４】
請求項１に係る発明によれば、送風機６を駆動することで薬剤保持体２０が保持している薬剤を大気に放散できる。
また、装置本体１の表面１ａは閉塞され、放出口４、吸込口５は側面１ｂに形成されているので、薬剤保持体２０に太陽光が照射されることが少ない。
したがって、薬剤保持体２０が保持している薬剤が太陽光で早期に劣化することがない。
また、収納体１０に薬剤保持体２０が着脱自在に取付けてあり、その収納体１０が装置本体１の収納凹部３に嵌合して取付けてあるので、収納体１０に薬剤保持体２０を取付けた状態で、その収納体１０を収納凹部３に嵌合して取付けることにより、薬剤保持体２０を取付けできる。
したがって、薬剤保持体２０を装置本体１に簡単に取付けできる。
【００１５】
請求項２に係る発明によれば、蓋１３と収納体１０を同時に取付け、取り外しできるので、薬剤保持体２０と電池８を同時に交換する場合に便利である。
【００１６】
請求項３に係る発明によれば、縦面に取付けた状態で使用できる。
また、収納体１０を縦面に取付けた状態で装置本体１を取り外して薬剤保持体２０を交換できる。
したがって、装置全体を縦面から取り外しせずに薬剤保持体２０を交換できる。
【００１７】
請求項４に係る発明によれば、縦面に取付けた状態で使用できる。
また、装置本体１を縦面に取付けた状態で収納体２０を取り外して薬剤保持体２０を交換できる。
【００１８】
請求項５に係る発明によれば、着用バンド３０を巻きつけることで装置本体１を取付けできるから、人体の手、胴や動物の足、首、胴などに簡単に取付けて使用できる。
【００１９】
請求項６に係る発明によれば、収納体１０を左右方向にスライドして装置本体１に取付け、取り外しできる。
【図面の簡単な説明】
【００２０】
【図１】縦面取付型の送風式薬剤放散装置の第１の実施の形態を示す正面図である。
【図２】側面図である。
【図３】裏面図である。
【図４】縦断面図である。
【図５】縦面取付型の送風式薬剤放散装置の第２の実施の形態を示す縦断面図である。
【図６】縦面取付型の送風式薬剤放散装置の第３の実施の形態を示す縦断面図である。
【図７】裏面図である。
【図８】縦面取付型の送風式薬剤放散装置の第４の実施の形態を示す縦断面図である。
【図９】裏面図である。
【図１０】縦面取付型の送風式薬剤放散装置の第５の実施の形態を示す縦断面図である。
【図１１】収納体の正面図である。
【図１２】縦面取付型の送風式薬剤放散装置の第６の実施の形態を示す側面図である。
【図１３】裏面図である。
【図１４】縦断面図である。
【図１５】収納体を取り外した状態の縦断面図である。
【図１６】着用型の送風式薬剤放散装置の実施の形態を示す側面図である。
【図１７】縦断面図である。
【図１８】裏面図である。
【図１９】載置型の送風式薬剤放散装置の実施の形態を示す側面図である。
【図２０】裏面図である。
【図２１】縦断面図である。
【図２２】収納体を取り出した状態の縦断面図である。
【発明を実施するための形態】
【００２１】
本発明の第１の実施の形態を説明する。
装置本体１は表面１ａと側面１ｂと裏面１ｃで囲まれた箱形状で、その内部に送風機収納室２を有すると共に、裏面１ｃに開口した薬剤保持体を取付ける収納凹部３を有し、この収納凹部３と送風機収納室２とは連通している。
前記装置本体１の表面１ａは閉塞され、側面１ｂには送風機収納室２に開口した放出口４と収納凹部３に開口した吸込口５がそれぞれ形成されている。例えば、側面１ｂの裏面１ｃ寄りに複数の切欠部５ａを形成して吸込口５としてある。
前記送風機収納室２には送風機６が取付けてあり、この送風機６を駆動することで、前記吸込口５から空気を吸い込み、その空気を収納凹部３を通して放出口４から放出する。
この送風機６は電動モータ６ａでファン６ｂを回転するものである。
【００２２】
前記収納凹部３には収納体１０が着脱自在に嵌合して取付けてある。
この収納体１０には薬剤保持体２０が、その薬剤保持体２０に空気が流通するように着脱自在に取付けてあり、この収納体１０を収納凹部３に取付けることで薬剤保持体２０が装置本体１に取付けられる。
そして、前記送風機６を駆動することで薬剤保持体２０に空気が流通し、その空気が放出口４から放出される。
【００２３】
前記収納体１０は、前記収納凹部３に嵌合する筒体１１と、この筒体１１の一端部に一体的に設けたプレート１２を備え、そのプレート１２には大きな孔１２ａが形成されている。
前記薬剤保持体２０は、容器２１内にプレート状の薬剤担持体２２を設け、押えプレート２３で保持したもので、その容器２１、押えプレート２３に形成された開口２１ａ，２３ａを通って薬剤担持体２２に空気が流通する。
【００２４】
前記容器２１を筒体１１内に嵌合して取付けることで、その容器２１の開口２１ａが収納体１０の孔１２ａと連通する。
そして、収納体２０を収納凹部３に嵌合して取付けることで、収納体１０の孔１２ａが吸込口５と連通すると共に、押えプレート２３の開口２３ａの送風機収納室２と連通する。
よって、送風機６を駆動することで、空気が、吸込口５、孔１２ａ、開口２１ａ、薬剤担持体２２、開口２３ａを通って吸い込まれ、その空気は放出口４から放出される。
【００２５】
この実施の形態では、装置本体１は電池収納室７を有し、その電池収納室７は裏面１ｃに開口していると共に、蓋１３で開閉される。
この蓋１３は前記収納体１０と一体で、蓋１３と収納体１０を同時に取付け、取り外しできるから、薬剤保持体２０が保持している薬剤がなくなると電池８が寿命となり、薬剤保持体２０と電池８を同時に交換するようにした場合に便利である。
なお、送風機６を駆動する電源として乾電池の他に、二次電池、太陽電池、又はそれらを組み合わせて使用することができることは勿論である。
【００２６】
この実施の形態の送風式薬剤放散装置は、図２に示すように、建物の壁、犬小屋の出入口付近などの縦面Ａに取付ける縦面取付型で、装置本体１には縦面取付部９が設けてある。
例えば、前記蓋１３の上部に穴付きプレート９ａを一体的に設けて縦面取付部９とし、その穴付きプレート９ａを縦面Ａに固着したフックＢに係止して吊り下げるようにしてある。
【００２７】
この実施の形態の具体形状を説明する。
前記装置本体１は、表面板２４と周面板２５で裏面が開口した箱形状で、その周面板２５の下部は半円形状である。
この装置本体１の内面に隔板２６を一体的に設け、この隔板２６と周面板２５の下部で円形の収納凹部３を形成すると共に、隔板２６と周面板２５の上部で矩形の電池収納室７を形成している。
前記収納体１０のプレート１２と蓋１３と穴付きプレート９ａは一体的に連続して一枚の板状としてあり、そのプレート１２が周面板２５の下部内周面に嵌合し、筒体１１が隔板２６と周面板２５の下部内周面に嵌合し、蓋１３の矩形状の突起１３ａが周面板２５の上部内周面と隔板２６に嵌合し、穴付きプレート９ａが周面板２５の上横に形成した切欠部２５ａに嵌合している。
【００２８】
次に、前記縦面取付型の送風式薬剤放散装置の他の実施の形態を説明する。
前記収納体１０のプレート１２に形成した穴１２ａはスリット状の穴を複数形成したものとしても良い。
前記収納体１０と蓋１３を別体としても良い。
前記縦面取付部９は装置本体１に一体的に設けても良い。
前記縦面取付部９はフックＢに係止するものに限ることはなく、ビス等の固着具で固着したり、粘着ワッペンを用いて接着する、また、前述の穴に紐等を通してフックＢに引っ掛けて吊すものでも良い。
【００２９】
前記電池収納室７を装置本体１の下部に形成しても良い。
例えば、図５に示すように装置本体１の下部に電池収納室７を形成し、その電池収納室７を表面１ａに開口して蓋１３を取付ける。
【００３０】
前記縦面取付部９は人体に被着したベルトなどに差し込んで取付けるものでも良い。
例えば、図６に示すように装置本体１の裏面１ｃにフック９ｂと突起９ｃを設けて縦面取付部９とし、そのフック９ｂを人体に被着したベルトに差し込んで吊り下げる。
この実施の形態では、収納体１０と蓋１３が一体で、その蓋１３が装置本体１にピン１３ｂで揺動自在に連結してある。
【００３１】
前記電池収納室７は横長で、電池８を横向きに収納するようにしてあるが、縦向きに収納するようにしても良い。
例えば、図６に示すように電池収納室７を縦長として、電池８を縦向きに収納する。
このようにすれば、電池収納室７の横方向の寸法を収納凹部３の横方向の寸法よりも小さくすることができ、そのようにすることで、装置本体１を図７に示すように上部を幅狭くスリームで下部が幅広い形状とすることができる。
【００３２】
前記電池収納室７を装置本体１の表面１ａに設けても良い。
例えば、図８、図９に示すように、装置本体１の表面１ａに電池収納室７を形成し、蓋１３で開閉自在とする。
この場合には、蓋１３と収納体１０は別体となるので、装置本体１を円形箱形状とし、その側面１ｂの上下に穴付きプレート９ａをそれぞれ一体的に設けて縦面取付部９とする。
また、収納体１０の外周面に、上下一対の円形状突片２７と左右一対の円形突片２８を形成し、装置本体１の収納凹部３の内周面に上下一対の円弧状凹部３ａと左右一対の円形凹部３ｂを形成し、それぞれが嵌合するように収納体１０を収納凹部３に嵌合して取付けるようにしてある。
また、収納体１０に形成した穴１２ａは多数の小孔からなるネット状の穴である。
【００３３】
前記収納体１０を縦面Ａに固着したままで装置本体１を取り外しできるようにしても良い。
例えば、図１０、図１１に示すように、収納体１０をプレート１２に穴付きプレート９ａを複数一体的に設け、そのプレート１２の表面にＬ字状の支持片１２ｃを円形軌跡に沿って間隔を置いて複数固着し、その複数の支持片１２ｃの内側面に亘って薬剤保持体２０を嵌合して取付けできると共に、複数の支持片１２ｃの外側面に亘って装置本体１の収納凹部３が嵌合して取付けできるようにしてある。
【００３４】
このようにすれば、収納体１０を図１０に示すように縦面Ａに固着して取付け、その収納体１０に薬剤保持体２０を取付けると共に、装置本体１を取付けできる。
そして、装置本体１を図１０に仮想線で示すように取り外しすることで、薬剤保持体２０を収納体１０から取り外しできる。
【００３５】
この実施の形態においては、装置本体１を複数の支持片１２ｃに嵌合して取付けした時に、その装置本体１の裏面１ｃがプレート１２と離隔し、その両者の間の隙間から流入した空気が隣接した支持片１２ｃの間から薬剤保持体２０まで流れるようにしてあり、その部分が吸込口５を形成している。
また、前述の実施の形態には電池収納室が図示していないが、装置本体１の表面１ａ又は側面１ｂに形成すれば良い。
【００３６】
前記装置本体１を縦面Ａに固着したままで収納体１０を取り外し、取付けできるようにしても良い。
例えば、図１２〜図１５に示すように、装置本体１の上部に穴付きプレート９ａを一体的に設け、この穴付きプレート９ａの穴からビス９ｄを縦面Ａに固着して装置本体１の上部を縦面Ａに取付けるようにする。
前記装置本体１の収納凹部３は側面１ｂの下部と裏面１ｃに開口し、収納体１０を上下方向にスライドして収納凹部３と縦面Ａとの間から、その収納凹部３内に取付け、取り外しできるようにする。つまり、収納体１０が縦面Ａと離隔して両者の間にスキマを形成する。
【００３７】
このようにすることで、装置本体１を縦面Ａを取付けたままの状態で、図１４に矢印で示すように収納体１０を薬剤保持体２０とともに装置本体１の収納部３内から下方に向けてスライドすることで取り外しできる。
また、図１５に矢印で示すように収納体１０を薬剤保持体２０とともに下から上に向けてスライドすることで装置本体１の収納部３内に取付けできる。
【００３８】
この実施の形態では、収納体１０が収納凹部３内で保持され、自重や振動などによって収納体１０が落下しないようにしてある。
例えば、収納凹部３に収納体１０が弾性圧縮変形するように強く嵌合して取付ける。収納凹部３の下部開口部分に蓋を着脱自在に設ける。
また、装置本体１の表面１ａ、側面１ｂの下端部を収納体１０の下端部よりも下方に張り出し、収納体１０が収納凹部３から張り出すことがないようにしている。
【００３９】
前述の実施の形態では収納体１０に電池収納室７が形成され、その電池収納室７部分が薬剤保持体１０を支持する部分よりも左右寸法が大きいので、その電池収納室７部分が下で薬剤保持体支持部分が上となるようにして取付けてある。
また、放出口４は側面１ｂの真上に形成すると雨水等が浸入し易いから、側面１ｂの側方に形成してある。
また、図示は省略するが装置本体１の収納凹部３を形成する部分に上下方向に向かうガイド部を形成し、このガイド部に沿って収納体１０がスムーズに挿入、引き出し自在とすることもできる。
また、図示は省略するが収納体１０を上方に引き抜いたり、左右方向に引き抜いて取り外しできるようにしても良い。
【００４０】
次に、人体、家畜やペット等の動物に着用して使用する着用型の送風式薬剤放散装置の実施の形態を説明する。
図１６、図１７に示すように、装置本体１に着用バンド３０を取付け、この着用バンド３０を人体の手や腰、動物の首、足、胴などの着用部分に巻きつけて装置本体１を取付ける。
前記着用バンド３０は装置本体１に設けた取付部３１に連結した一側バンド３２と他側バンド３３を備え、一側バンド３２に設けたバックル３４と他側バンド３３に設けた穴を係合して連結するようにしてある。
また、装置本体１の裏面１ｃに切欠部５ａを形成して吸込口５としてある。
【００４１】
図１７に示すように、装置本体１の両側に電池収納室７がそれぞれ形成され、その各電池収納室７の下面が開口している。
収納体１０のプレート１２の両側縁に図１８に示すように蓋１３がそれぞれ一体的に設けてあり、収納体１０とともに一対の蓋１３を取付け、取り外しできるようにしてある。
【００４２】
次に、テーブル、床などに載置して使用する載置型の送風式薬剤放散装置の実施の形態を説明する。
前述した図８〜図１１に示す送風式薬剤放散装置をそのまま地面や床面などに載置して使用できる。また、図１６〜図１８に示す送風式薬剤放散装置における着用バンド３０を取り外しすれば、載置型の送風式薬剤放散装置とすることができる。
【００４３】
図１９〜図２２に示すように載置型専用の送風式薬剤放散装置とすることができる。
前記装置本体１の収納凹部３は側面１ｂの左右一部と裏面１ｃに開口し、収納体１０を左右方向にスライドして装置本体１に取付け取り外しできるようにする。
前記収納体１０の左右一側部に電池収納室７が形成してあり、装置本体１の収納凹部３は収納体１０が嵌まり合う部分３−１と電池収納室７部分が嵌まり合う部分３−２を有する。
【００４４】
このようであるから、図２１の状態から収納体１０を矢印方向にスライドすることで図２２に示すように装置本体１から取り出しできる。
この状態から図２２に矢印で示すようにスライドすることで収納体１０を装置本体１の収納凹部３にスライドして嵌合取付けできる。
【符号の説明】
【００４５】
１…装置本体、１ａ…表面、１ｂ…側面、１ｃ…裏面、２…送風機収納室、３…収納凹部、４…吐出口、５…吸込口、６…送風機、７…電池収納室、９…縦面取付部、１０…収納体、２０…薬剤保持体、３０…着用ベルト。
【図１】
2011254842.tif 000003
【図２】
2011254842.tif 000004
【図３】
2011254842.tif 000005
【図４】
2011254842.tif 000006
【図５】
2011254842.tif 000007
【図６】
2011254842.tif 000008
【図７】
2011254842.tif 000009
【図８】
2011254842.tif 000010
【図９】
2011254842.tif 000011
【図１０】
2011254842.tif 000012
【図１１】
2011254842.tif 000013
【図１２】
2011254842.tif 000014
【図１３】
2011254842.tif 000015
【図１４】
2011254842.tif 000016
【図１５】
2011254842.tif 000017
【図１６】
2011254842.tif 000018
【図１７】
2011254842.tif 000019
【図１８】
2011254842.tif 000020
【図１９】
2011254842.tif 000021
【図２０】
2011254842.tif 000022
【図２１】
2011254842.tif 000023
【図２２】
2011254842.tif 000024
【手続補正書】
【提出日】平成23年10月18日(2011.10.18)
【手続補正１】
【補正対象書類名】明細書
【補正対象項目名】全文
【補正方法】変更
【補正の内容】
【発明の詳細な説明】
【技術分野】
【０００１】
本発明は、殺虫剤、忌避剤、芳香剤、消臭剤、除菌剤などの揮散性の薬剤を大気に放散する送風式薬剤放散装置に関する。
【背景技術】
【０００２】
特許文献１に送風式薬剤放散装置が開示されている。
この装置は、本体内に、送風機と薬剤保持体と電池を設けて送風機を駆動することで吸込口から放出口に空気が流通し、その放出口から放出される空気とともに薬剤保持体の薬剤が大気に放散される装置である。
【０００３】
特許文献２には、本体内に送風機、薬剤保持体、電池を設け、送風機を駆動することで本体の裏面に形成した吸込口から空気を吸い込み、薬剤保持体を通して本体の側面に形成した放出口から大気に放出するようにした送風式薬剤放散装置が開示されている。
【先行技術文献】
【特許文献】
【０００４】
【特許文献１】特開２００１−１９７８５６号公報
【特許文献２】特開２００２−２２６３０５号公報
【発明の概要】
【発明が解決しようとする課題】
【０００５】
前述の特許文献１に開示された装置は、その本体の表面に吸込口が形成されていると共に、その吸込口と連続して薬剤保持体が設けてあるので、太陽光（日射）が吸込口を通して前記薬剤保持体に直接照射される度合が多く、その薬剤保持体が保持している薬剤が早期に劣化することがある。
【０００６】
このことを解消するには、特許文献２に開示された装置のように、本体の裏面に吸込口を形成し、表面を閉塞された形状とすることが考えられる。
しかし、このようにした場合には薬剤保持体の取付けが面倒である。
例えば、特許文献２に開示された装置では、本体の下部開口に薬剤保持体を挿入し、その薬剤保持体が落ちないように保持しながらカバーを取付けて薬剤保持体を本体に取付けるので、その薬剤保持体を本体に取付ける作業が面倒である。
【０００７】
本発明の目的は、薬剤保持体が保持している薬剤が太陽光で早期に劣化することがないと共に、その薬剤保持体を本体に簡単に取付けできるようにした送風式薬剤放散装置を提供することである。
【課題を解決するための手段】
【０００８】
本発明は、表面１ａと側面１ｂと裏面１ｃで囲まれた箱形状で、内部には、送風機収納室２と、この送風機収納室２と連続し裏面１ｃに開口した収納凹部３をそれぞれ有し、その表面１ａは閉塞され、側面１ｂには、送風機収納室２に連通した放出口４と前記収納凹部３に連通した吸込口５をそれぞれ有した装置本体１と、
この装置本体１の送風機収納室２に設けた送風機６と、
前記収納凹部３に着脱自在に取付けられる収納体１０と、
この収納体１０に着脱自在に取付けられる薬剤保持体２０を備え、
前記送風機６を駆動することで吸込口５、薬剤保持体２０を通して空気が吸い込まれ、放出口４から放出されるようにし、
前記収納体１０に縦面取付部９を設け、その縦面取付部９を縦面Ａに取付けた状態で、当該収納体１０から装置本体１のみを着脱可能としたことを特徴とする送風式薬剤放散装置である。
【０００９】
本発明においては、前記収納体１０は、通気用の孔１２ａを有したプレート１２と、このプレート１２に設けられ、前記装置本体１の収納凹部３が着脱自在に嵌合する筒体１１を備え、縦面に取り付けた状態で、前記吸込口５からの空気が孔１２ａを流通するようにし、
前記筒体１１内に着脱自在に嵌合して取り付けられ、空気が流通する容器２１内に薬剤担持体２２を設けて薬剤保持体２０とし、前記孔１２ａを流通した空気が薬剤担持体２２を通して放出口４から放出されるようにできる。
【００１０】
本発明においては、前記収納体１０は、プレート１２に複数の支持片１２ｃを円形軌跡に沿って間隔を置いて固着したものとし、
前記薬剤保持体２０は、前記複数の支持片１２ｃの内側面に亘って嵌合して取り付け、
前記装置本体１は、その収納凹部３が前記複数の支持片１２ｃの外側面に亘って嵌合して取り付けることができる。
【００１１】
本発明においては、前記プレート１２と薬剤保持体２０とは離隔し、
前記装置本体１の裏面１ｃとプレート１２は離隔し、その両者の間の隙間から流入した空気が前記プレート１２と薬剤保持体２０との間の隙間を通って薬剤保持体２０に流れ、前記装置本体１の裏面１ｃとプレート１２との間の部分を吸込口５とすることができる。
【発明の効果】
【００１２】
本発明によれば、送風機６を駆動することで薬剤保持体２０が保持している薬剤を大気に放散できる。
また、装置本体１の表面１ａは閉塞され、放出口４、吸込口５は側面１ｂに形成されているので、薬剤保持体２０に太陽光が照射されることが少ない。
したがって、薬剤保持体２０が保持している薬剤が太陽光で早期に劣化することがない。
また、収納体１０に薬剤保持体２０が着脱自在に取付けてあり、その収納体１０が装置本体１の収納凹部３に嵌合して取付けてあるので、収納体１０に薬剤保持体２０を取付けた状態で、その収納体１０を収納凹部３に嵌合して取付けることにより、薬剤保持体２０を取付けできる。
したがって、薬剤保持体２０を装置本体１に簡単に取付けできる。
【００１３】
また、縦面に取付けた状態で使用できる。
また、収納体１０を縦面に取付けた状態で装置本体１を取り外して薬剤保持体２０を交換できる。
したがって、装置全体を縦面から取り外しせずに薬剤保持体２０を交換できる。
【図面の簡単な説明】
【００１４】
【図１】縦面取付型の送風式薬剤放散装置の参考例を示す正面図である。
【図２】側面図である。
【図３】裏面図である。
【図４】縦断面図である。
【図５】縦面取付型の送風式薬剤放散装置の第１の実施の形態を示す縦断面図である。
【図６】縦面取付型の送風式薬剤放散装置の第２の実施の形態を示す縦断面図である。
【図７】収納体の正面図である。
【発明を実施するための形態】
【００１５】
本発明の参考例を説明する。
装置本体１は表面１ａと側面１ｂと裏面１ｃで囲まれた箱形状で、その内部に送風機収納室２を有すると共に、裏面１ｃに開口した薬剤保持体を取付ける収納凹部３を有し、この収納凹部３と送風機収納室２とは連通している。
前記装置本体１の表面１ａは閉塞され、側面１ｂには送風機収納室２に開口した放出口４と収納凹部３に開口した吸込口５がそれぞれ形成されている。例えば、側面１ｂの裏面１ｃ寄りに複数の切欠部５ａを形成して吸込口５としてある。
前記送風機収納室２には送風機６が取付けてあり、この送風機６を駆動することで、前記吸込口５から空気を吸い込み、その空気を収納凹部３を通して放出口４から放出する。
この送風機６は電動モータ６ａでファン６ｂを回転するものである。
【００１６】
前記収納凹部３には収納体１０が着脱自在に嵌合して取付けてある。
この収納体１０には薬剤保持体２０が、その薬剤保持体２０に空気が流通するように着脱自在に取付けてあり、この収納体１０を収納凹部３に取付けることで薬剤保持体２０が装置本体１に取付けられる。
そして、前記送風機６を駆動することで薬剤保持体２０に空気が流通し、その空気が放出口４から放出される。
【００１７】
前記収納体１０は、前記収納凹部３に嵌合する筒体１１と、この筒体１１の一端部に一体的に設けたプレート１２を備え、そのプレート１２には大きな孔１２ａが形成されている。
前記薬剤保持体２０は、容器２１内にプレート状の薬剤担持体２２を設け、押えプレート２３で保持したもので、その容器２１、押えプレート２３に形成された開口２１ａ，２３ａを通って薬剤担持体２２に空気が流通する。
【００１８】
前記容器２１を筒体１１内に嵌合して取付けることで、その容器２１の開口２１ａが収納体１０の孔１２ａと連通する。
そして、収納体２０を収納凹部３に嵌合して取付けることで、収納体１０の孔１２ａが吸込口５と連通すると共に、押えプレート２３の開口２３ａの送風機収納室２と連通する。
よって、送風機６を駆動することで、空気が、吸込口５、孔１２ａ、開口２１ａ、薬剤担持体２２、開口２３ａを通って吸い込まれ、その空気は放出口４から放出される。
【００１９】
前記装置本体１は電池収納室７を有し、その電池収納室７は裏面１ｃに開口していると共に、蓋１３で開閉される。
この蓋１３は前記収納体１０と一体で、蓋１３と収納体１０を同時に取付け、取り外しできるから、薬剤保持体２０が保持している薬剤がなくなると電池８が寿命となり、薬剤保持体２０と電池８を同時に交換するようにした場合に便利である。
なお、送風機６を駆動する電源として乾電池の他に、二次電池、太陽電池、又はそれらを組み合わせて使用することができることは勿論である。
【００２０】
前記送風式薬剤放散装置は、図２に示すように、建物の壁、犬小屋の出入口付近などの縦面Ａに取付ける縦面取付型で、装置本体１には縦面取付部９が設けてある。
例えば、前記蓋１３の上部に穴付きプレート９ａを一体的に設けて縦面取付部９とし、その穴付きプレート９ａを縦面Ａに固着したフックＢに係止して吊り下げるようにしてある。
【００２１】
この参考例の具体形状を説明する。
前記装置本体１は、表面板２４と周面板２５で裏面が開口した箱形状で、その周面板２５の下部は半円形状である。
この装置本体１の内面に隔板２６を一体的に設け、この隔板２６と周面板２５の下部で円形の収納凹部３を形成すると共に、隔板２６と周面板２５の上部で矩形の電池収納室７を形成している。
前記収納体１０のプレート１２と蓋１３と穴付きプレート９ａは一体的に連続して一枚の板状としてあり、そのプレート１２が周面板２５の下部内周面に嵌合し、筒体１１が隔板２６と周面板２５の下部内周面に嵌合し、蓋１３の矩形状の突起１３ａが周面板２５の上部内周面と隔板２６に嵌合し、穴付きプレート９ａが周面板２５の上横に形成した切欠部２５ａに嵌合している。
【００２２】
前記収納体１０のプレート１２に形成した穴１２ａはスリット状の穴を複数形成したものとしても良い。
前記収納体１０と蓋１３を別体としても良い。
前記縦面取付部９は装置本体１に一体的に設けても良い。
前記縦面取付部９はフックＢに係止するものに限ることはなく、ビス等の固着具で固着したり、粘着ワッペンを用いて接着する、また、前述の穴に紐等を通してフックＢに引っ掛けて吊すものでも良い。
【００２３】
本発明の第１の実施の形態を説明する。
図５に示すように、収納体１０の上部に縦面取付部９（穴付きプレート９ａ）を設け、装置本体１の下部に電池収納室７を形成し、その電池収納室７を表面１ａに開口して蓋１３を取付け、収納体１０を縦面Ａに固着したままで装置本体１０を取り外しできるようにする。
前記電池収納室７を装置本体１の表面１ａに設けても良い。
【００２４】
前記収納体１０を縦面Ａに固着したままで装置本体１を取り外しできるようにするには、次のようにしても良い。
図６、図７に示すように、収納体１０をプレート１２に穴付きプレート９ａを複数一体的に設け、そのプレート１２の表面にＬ字状の支持片１２ｃを円形軌跡に沿って間隔を置いて複数固着し、その複数の支持片１２ｃの内側面に亘って薬剤保持体２０を嵌合して取付けできると共に、複数の支持片１２ｃの外側面に亘って装置本体１の収納凹部３が嵌合して取付けできるようにしてある。
【００２５】
このようにすれば、収納体１０を図６に示すように縦面Ａに固着して取付け、その収納体１０に薬剤保持体２０を取付けると共に、装置本体１を取付けできる。
そして、装置本体１を図６に仮想線で示すように取り外しすることで、薬剤保持体２０を収納体１０から取り外しできる。
【００２６】
この実施の形態においては、装置本体１を複数の支持片１２ｃに嵌合して取付けした時に、その装置本体１の裏面１ｃがプレート１２と離隔し、その両者の間の隙間から流入した空気が隣接した支持片１２ｃの間から薬剤保持体２０まで流れるようにしてあり、その部分が吸込口５を形成している。
また、前述の実施の形態には電池収納室が図示していないが、装置本体１の表面１ａ又は側面１ｂに形成すれば良い。
【符号の説明】
【００２７】
１…装置本体、１ａ…表面、１ｂ…側面、１ｃ…裏面、２…送風機収納室、３…収納凹部、４…吐出口、５…吸込口、６…送風機、７…電池収納室、９…縦面取付部、１０…収納体、１２…プレート、２０…薬剤保持体、２１…容器。
【手続補正２】
【補正対象書類名】特許請求の範囲
【補正対象項目名】全文
【補正方法】変更
【補正の内容】
【特許請求の範囲】
【請求項１】
表面１ａと側面１ｂと裏面１ｃで囲まれた箱形状で、内部には、送風機収納室２と、この送風機収納室２と連続し裏面１ｃに開口した収納凹部３をそれぞれ有し、その表面１ａは閉塞され、側面１ｂには、送風機収納室２に連通した放出口４と前記収納凹部３に連通した吸込口５をそれぞれ有した装置本体１と、
この装置本体１の送風機収納室２に設けた送風機６と、
前記収納凹部３に着脱自在に取付けられる収納体１０と、
この収納体１０に着脱自在に取付けられる薬剤保持体２０を備え、
前記送風機６を駆動することで吸込口５、薬剤保持体２０を通して空気が吸い込まれ、放出口４から放出されるようにし、
前記収納体１０に縦面取付部９を設け、その縦面取付部９を縦面Ａに取付けた状態で、当該収納体１０から装置本体１のみを着脱可能としたことを特徴とする送風式薬剤放散装置。
【請求項２】
前記収納体１０は、通気用の孔１２ａを有したプレート１２と、このプレート１２に設けられ、前記装置本体１の収納凹部３が着脱自在に嵌合する筒体１１を備え、縦面に取り付けた状態で、前記吸込口５からの空気が孔１２ａを流通するようにし、
前記筒体１１内に着脱自在に嵌合して取り付けられ、空気が流通する容器２１内に薬剤担持体２２を設けて薬剤保持体２０とし、前記孔１２ａを流通した空気が薬剤担持体２２を通して放出口４から放出されるようにした請求項１記載の送風式薬剤放散装置。
【請求項３】
前記収納体１０は、プレート１２に複数の支持片１２ｃを円形軌跡に沿って間隔を置いて固着したものとし、
前記薬剤保持体２０は、前記複数の支持片１２ｃの内側面に亘って嵌合して取り付け、
前記装置本体１は、その収納凹部３が前記複数の支持片１２ｃの外側面に亘って嵌合して取り付けた請求項１記載の送風式薬剤放散装置。
【請求項４】
前記プレート１２と薬剤保持体２０とは離隔し、
前記装置本体１の裏面１ｃとプレート１２は離隔し、その両者の間の隙間から流入した空気が前記プレート１２と薬剤保持体２０との間の隙間を通って薬剤保持体２０に流れ、前記装置本体１の裏面１ｃとプレート１２との間の部分を吸込口５とした請求項３記載の送風式薬剤放散装置。
【手続補正３】
【補正対象書類名】図面
【補正対象項目名】図６
【補正方法】変更
【補正の内容】
【図６】
2011254842.tif 000025
【手続補正４】
【補正対象書類名】図面
【補正対象項目名】図７
【補正方法】変更
【補正の内容】
【図７】
2011254842.tif 000026
【手続補正５】
【補正対象書類名】図面
【補正対象項目名】図８
【補正方法】削除
【補正の内容】
【手続補正６】
【補正対象書類名】図面
【補正対象項目名】図９
【補正方法】削除
【補正の内容】
【手続補正７】
【補正対象書類名】図面
【補正対象項目名】図１０
【補正方法】削除
【補正の内容】
【手続補正８】
【補正対象書類名】図面
【補正対象項目名】図１１
【補正方法】削除
【補正の内容】
【手続補正９】
【補正対象書類名】図面
【補正対象項目名】図１２
【補正方法】削除
【補正の内容】
【手続補正１０】
【補正対象書類名】図面
【補正対象項目名】図１３
【補正方法】削除
【補正の内容】
【手続補正１１】
【補正対象書類名】図面
【補正対象項目名】図１４
【補正方法】削除
【補正の内容】
【手続補正１２】
【補正対象書類名】図面
【補正対象項目名】図１５
【補正方法】削除
【補正の内容】
【手続補正１３】
【補正対象書類名】図面
【補正対象項目名】図１６
【補正方法】削除
【補正の内容】
【手続補正１４】
【補正対象書類名】図面
【補正対象項目名】図１７
【補正方法】削除
【補正の内容】
【手続補正１５】
【補正対象書類名】図面
【補正対象項目名】図１８
【補正方法】削除
【補正の内容】
【手続補正１６】
【補正対象書類名】図面
【補正対象項目名】図１９
【補正方法】削除
【補正の内容】
【手続補正１７】
【補正対象書類名】図面
【補正対象項目名】図２０
【補正方法】削除
【補正の内容】
【手続補正１８】
【補正対象書類名】図面
【補正対象項目名】図２１
【補正方法】削除
【補正の内容】
【手続補正１９】
【補正対象書類名】図面
【補正対象項目名】図２２
【補正方法】削除
【補正の内容】